(57)【要約】【課題】紙製食品包装容器において、各種惣菜その他の食品を収納後でトップシール材の透明フィルムによって包装するとき、耐水・耐油処理が施された紙製容器であっても、トップシール材を容易に取り外し可能でありながら密封性を良好にする。【解決手段】耐水・耐油処理が施された紙製の容器本体１の開口部に、外方に延びたフランジ部２を形成し、フランジ部２に形成した非接触部分３以外の部位においてトップシール材５をフランジ部２面上に接合する。非接触部分３は、フランジ部２において、孔状、凹部状、溝状にして、あるいは、非接触部分３は、凸部状、山状、突条状にして構成する。また、非接触部分３の配列は、容器本体１における開口縁部と、フランジ部２における外縁部位との間で、連続していないことで容器本体１の内部を外部と遮断させる。【選択図】図１
0003234856.tif 000002
【実用新案登録請求の範囲】
【請求項１】
耐水・耐油処理が施された紙製の容器本体の開口部に、外方に延びたフランジ部が形成されていて、フランジ部に形成した非接触部分以外の部位においてトップシール材をフランジ部面上に接合したことを特徴とするトップシール式紙製食品包装容器。
【請求項２】
非接触部分は、フランジ部において、孔状、凹部状、溝状にしてある請求項１に記載のトップシール式紙製食品包装容器。
【請求項３】
非接触部分は、凸部状、山状、突条状にしてある請求項１に記載のトップシール式紙製食品包装容器。
【請求項４】
非接触部分の配列は、容器本体における開口縁部と、フランジ部における外縁部位との間で、連続していないことで容器本体の内部を外部と遮断させてある請求項１乃至３のいずれかに記載のトップシール式紙製食品包装容器。
【考案の詳細な説明】
【技術分野】
【０００１】
この考案は、紙製食品包装容器において、各種惣菜その他の食品を収納後でトップシール材である透明フィルム材によって包装するとき、耐水・耐油処理が施された紙製容器であっても、容易に取り外し可能でありながら密封性が良好であるトップシール式紙製食品包装容器に関する。
【背景技術】
【０００２】
従来から、各種惣菜その他の食品を所定量で合成樹脂製容器に収納包装して、例えばスーパーマーケット、コンビニエンスストア等の店頭で陳列販売するとき、その多くは容器を透明フィルム材によって覆っている。容器を覆うにあたり、容器開口全面を覆うと共に、容器の底面全域を前後方向に沿って覆い、更に左右方向に沿って重ねることで覆っている。例えば特許文献１に示される食品包装容器であり、これによると食品等を収納した発泡スチロール等の合成樹脂製のトレー・容器の全体をラップフィルムで包むとしている。
【先行技術文献】
【特許文献】
【０００３】
【特許文献１】実用新案登録第３１３０９９０号公報
【考案の概要】
【考案が解決しようとする課題】
【０００４】
こうした従来のこの種のラップフィルムで覆う合成樹脂製食品容器にあっては、収納した食品等をそのまま外部から見て確認できるから、店頭販売に際し商品訴求力があるから便利である。しかしながら、購入、喫食後では不要となるから廃棄するときには、容器類等の素材の性質によって一般的には選別される必要があり、またリサイクル品として回収されてもいる。
【０００５】
一方、トレー・容器全体を覆うことで、包装するに必要なフィルム量は、容器全体をフィルム材にて重ねて覆っているから、容器開口面積の少なくともその３乃至４倍程度を必要とする。そればかりでなく、容器類の回収は店頭等のそれぞれで備え付けられた回収ボックス等によっているも、これらの回収設備は多くの店頭を網羅しなければならないから設備費が嵩む。そしてまた、容器類の回収、廃棄、リサイクルその他のための全体作業、作業人員も多く必要とするから、その費用は極めて膨大なものとなる。
【０００６】
また、耐水・耐油性のための樹脂被膜が施された紙製包装容器の開口部をトップシール材によって覆う場合、その接合は加熱シール方法によっているから、容器を開封すべくトップシール材を剥離するとき、樹脂同士間では剥離されがたいから、紙製包装容器自体を破損させたり、剥離が困難となったりすることもあった。これを解消すべく、剥離容易な、いわゆるイージーフィルムが提案されているも、高価であり、一般的に使用するには難点がある。
【０００７】
そこでこの考案は叙上のような従来存した諸事情に鑑み創出されたもので、廃棄が容易であるよう容器自体は紙製とし、また容器の開口全域を覆うにはトップシール材のみとし、このトップシール材のみによっても内容物からの水・油漏れその他を防止でき、しかも包装しているトップシール材の剥離も容易で、収納食品を簡単に喫食可能にするのであり、また、廃棄に際してのフィルム量も最小限で済み、廃棄に要する費用も大きく節減できるトップシール式紙製食品包装容器を提供することにある。
【課題を解決するための手段】
【０００８】
上述した課題を解決するため、この考案にあっては、耐水・耐油処理が施された紙製の容器本体１の開口部に、外方に延びたフランジ部２が形成されていて、フランジ部２に形成した非接触部分３以外の部位においてトップシール材５をフランジ部２面上に接合したことを特徴とする。
非接触部分３は、フランジ部２において、孔状、凹部状、溝状にして構成することができる。
あるいは、非接触部分３は、凸部状、山状、突条状にして構成することができる。
非接触部分３の配列は、容器本体１における開口縁部と、フランジ部２における外縁部位との間で、連続していないことで容器本体１の内部を外部と遮断させて構成することができる。
【０００９】
以上のように構成されたこの考案に係るトップシール式紙製食品包装容器にあって、例えば食品収納後における容器本体１のフランジ部２の非接触部分３以外において、トップシール材５が接合されており、トップシール材５が容器本体１のフランジ部２に対しての全域接合ではないことで、トップシール材５を容易に剥離可能にさせ、しかも容器本体１内部の密封性を維持させる。
非接触部分３は、孔状、凹部状、溝状にすることで、また、凸部状、山状、突条状にすることで、いずれにしてもフランジ部２面上におけるトップシール材５を全域で接合させず、開封時のトップシール材５の剥離操作を容易にさせる。
【考案の効果】
【００１０】
この考案は以上説明したように、紙製包装容器の容器本体１における開口部を覆うようにフランジ部２のみに接合するトップシール材５を、非接触部分３以外のフランジ面２に接合するようにしたから、トップシール材５を簡単に剥離でき、容器自体は紙製であることで廃棄が容易であり、また容器の開口はその全域を覆うトップシール材５のみとするから使用するフィルム材を大幅に節減でき、容器本体１内の内容物のシール性を確保して内容物からの水・油漏れその他を防止でき、総じて、包装、廃棄に要する費用も大きく節減できる。
【００１１】
すなわちこれはこの考案において、耐水・耐油処理が施された紙製の容器本体１の開口部に、外方に延びたフランジ部２が形成されていて、フランジ部２に形成した非接触部分３以外の部位においてトップシール材５をフランジ部２面上に接合したからである。これによって、従来であれば容器の素材として使用した合成樹脂材料を使用しなくて済むことの環境負荷の改善、すなわち使用するフィルム材の減少、使用済み容器の回収不要等による全体の廃棄費用の節減等を実現できる。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１３】
【図１】この考案を実施するための一形態を示す分解斜視図である。
【図２】同じく要部断面図である。
【図３】同じく他の実施の形態における要部端面図で、その（ａ）は非接触部分を溝状にした場合、（ｂ）は同じく凸部状にした場合である。
【考案を実施するための形態】
【００１４】
以下、図面を参照してこの考案を実施するための一形態を説明すると、図において示される符号１は食品包装容器となる容器本体であり、この容器本体１は、平面から見て例えば矩形となるボックス状を呈しており、その素材は紙材、パルプ紙材等によって形成されている。例えば図示のように、平面で矩形状を呈すると共に、４隅においては例えば三角形状の折返し部を重ね合わせることで隣接する側壁相互を立ち上がり状とさせ、側壁それぞれの上縁を容器外方に向かって折曲することでフランジ部２を形成している。尚、４隅におけるフランジ部２では、フランジ部２の外縁からの切断線を折返し部端に至らせ、折返し部に対応させてフランジ部２の端縁部相互を重ね合わせてある。
【００１５】
なお、容器本体１自体は、容器本体１の少なくとも内側面には耐水・耐油性を備えるように例えばナイロン、ポリエステル、ポリプロピレン樹脂等の合成樹脂製薄膜が被覆されるようにラミネート処理が施されている。
【００１６】
そして、容器本体１の開口全域を覆うよう包装フィルムによるトップシール材５がフランジ部２に接合、例えば加熱接合されることで被装されている。このトップシール材５は、容器本体１の開口部全域を含め、フランジ部２の幅員全域を覆ってフランジ部２の外縁部位に至るまでを覆うものとなっている。すなわち、このトップシール材５は、容器本体１における側壁外側面、底側面のいずれをも、部分的にでも覆うようにはなっていない。
【００１７】
また、フランジ部２には、フランジ部２の部位におけるトップシール材５の全域を接合させずに、シール性を損なうことなく、易剥離性を図る非接触部分３を形成してある。この非接触部分３は、図１、図２に示されるように、フランジ部２に開穿されている例えば孔としてある。この図例における孔は、フランジ部２に沿って所定間隔毎に開穿されている長孔・スリット状として配列してある。配列形態は１列とする場合に限らず、例えば千鳥配置とする複数列状とするもよく、孔の形態も長孔・スリット状とせずに、丸孔状、三角孔状、多角孔状、その他とすることができ、特に限定されない。
【００１８】
また、図３（ａ）に示されるように、フランジ部２における容器本体１の底面側に窪み状となる凹部状、溝状に形成することもできる。あるいは図３（ｂ）に示されるように、容器本体１における上方開口側に出張るようになる凸部状、山状、突条状等に形成することもできる。図示を省略したが、フランジ部２を祖面状とすることもできる。
【００１９】
もとより、トップシール材５のフランジ部２面に対する接合は、フランジ部２の平坦面上、すなわち非接触部分３以外の部位に設定するのであり、こうすることで、容器本体１のシール性を維持できるようにしてある。
【００２０】
なお、非接触部分３の配列は、容器本体１における開口縁部と、フランジ部２における外縁部位との間で、連続していないことで容器本体１の内部を外部と遮断させており、こうすることでシール性を担保している。
【００２１】
次にこれの使用の一例を説明すると、紙製の容器本体１に適宜に食品を収納し、その後、トップシール材５によって開口部を覆って被装し、フランジ部２の面上でフランジ部２にトップシール材５を接合する。
【００２２】
食品の取り出し、喫食に際し、トップシール材５をフランジ部２から強制的に剥離すればよく、剥離に際し、非接触部分３による非接触部位がトップシール材５のフランジ部２からの剥離を容易にさせる。
【符号の説明】
【００２３】
１…容器本体
２…フランジ部
３…非接触部分
５…トップシール材
【図１】
0003234856.tif 000003
【図２】
0003234856.tif 000004
【図３】
0003234856.tif 000005